(57)【要約】【課題】  ＭＲヘッドの静電破壊を防止することが可能なヘッドドラム装置を提供する。【解決手段】  ヘッドドラム装置３は、回転ドラム１０と、接地電位に保持された固定ドラム１１と、ＭＲ（磁気抵抗効果型）素子からなるヘッド素子によって、磁気テープから信号の読み取りを行う再生ヘッド部１５を備えている。回転ドラム１０は、一体に固定された導電性のシャフト１３と、固定ドラム１１側の導電性軸受け１４により回動自在に支持される。従って、回転ドラム１０は固定ドラム１１を介して接地電位となるため、ＭＲ素子の静電破壊を安定的に防止できる。【選択図】  図１
2005259242.tif 000002
【特許請求の範囲】
【請求項１】
外周面にヘリカル状に巻き付けられた磁気テープに対して信号の書き込みおよび読み取りを行うヘッドドラム装置において、
接地電位に保持された固定ドラムと、
一体に固定された導電性シャフトにより前記固定ドラムに対して回動自在に支持された回転ドラムと、
前記磁気テープからの信号読み取り用のヘッド素子として磁気抵抗効果型素子を備え、信号読み取り面が前記回転ドラムの外周面で前記磁気テープに摺接するように前記回転ドラムに固定された読み取りヘッド部と、
前記回転ドラムが前記固定ドラムを介して接地電位となるように、前記回転ドラムの前記導電性シャフトを前記固定ドラム側で軸承する導電性の軸受け部と、
を有することを特徴とするヘッドドラム装置。
【請求項２】
前記軸受け部は、導電性グリース入りのボールベアリングからなることを特徴とする請求項１記載のヘッドドラム装置。
【請求項３】
前記導電性グリースはカーボンを含むことを特徴とする請求項２記載のヘッドドラム装置。
【請求項４】
前記読み取りヘッド部において、前記ヘッド素子の両側には、前記回転ドラムと電気的に接続された導電性のヘッド基板および保護基板が、それぞれ絶縁膜を介して配設されていることを特徴とする請求項１記載のヘッドドラム装置。
【請求項５】
前記回転ドラムと前記固定ドラムとの間には、前記ヘッド素子と外部回路との間で電気信号を授受するためのロータリトランスが設けられていることを特徴とする請求項１記載のヘッドドラム装置。
【請求項６】
前記回転ドラムは、前記ロータリトランスを介して供給された信号読み取り用のセンス電流を前記ヘッド素子に供給するための電気回路を搭載していることを特徴とする請求項５記載のヘッドドラム装置。
【請求項７】
前記回転ドラムと前記固定ドラムとの間の抵抗値は、１０３Ω以下であることを特徴とする請求項１記載のヘッドドラム装置。
【請求項８】
磁気テープを用いて信号の記録および再生を行う磁気記録再生装置において、
接地電位に保持された固定ドラムと、
一体に固定された導電性シャフトにより前記固定ドラムに対して回動自在に支持された回転ドラムと、
前記磁気テープからの信号読み取り用のヘッド素子として磁気抵抗効果型素子を備え、信号読み取り面が前記回転ドラムの外周面で前記磁気テープに摺接するように前記回転ドラムに固定された読み取りヘッド部と、
前記回転ドラムが前記固定ドラムを介して接地電位となるように、前記回転ドラムの前記導電性シャフトを前記固定ドラム側で軸承する導電性の軸受け部と、
を有するヘッドドラム装置を具備することを特徴とする磁気記録再生装置。
【発明の詳細な説明】
【技術分野】
【０００１】
本発明は、磁気テープに対して信号の書き込みおよび読み取りを行うヘリカルスキャン方式のヘッドドラム装置、およびこれを具備する磁気記録再生装置に関し、特に、信号読み取り用の磁気ヘッドとしてＭＲヘッドを使用したヘッドドラム装置、およびこれを具備する磁気記録再生装置に関する。
【背景技術】
【０００２】
近年、磁気テープを用いて信号の記録、および再生を行う磁気記録再生装置においては、取り扱う情報量の増大に伴ってさらなる記録密度の向上が望まれている。磁気テープに対する信号の読み取り用の磁気ヘッドとして、従来のインダクティブヘッドに代わりＭＲ（Magneto Resistive：磁気抵抗効果型）ヘッドや、さらにその感度が高いＧＭＲ（Giant Magneto Resistive）ヘッドを採用することで、磁気テープの記録密度の向上が可能になる。
【０００３】
ＭＲヘッドは、ＭＲ素子による磁気抵抗効果を利用して、磁気テープなどの磁気記録媒体に記録された信号を読み取る磁気ヘッドであり、信号の検出感度が高く、大きな再生出力を得られる。そのため、ＭＲヘッドを備えた磁気記録再生装置では、磁気テープ上の記録トラック幅を容易に縮小できるとともに線方向の記録密度を高めることにより、高密度のデータ記録、および再生を行うことが可能となる。
【０００４】
ところで、ＭＲヘッドは、従来のインダクティブ型ヘッドと比較して静電気や熱に弱いという性質を有している。すなわち、ＭＲヘッド内部のＭＲ素子は、その厚みがナノメートルサイズの薄膜によって形成されるが、この素子部分では容易に静電破壊現象が生じ、薄膜が破壊されてしまうことが知られている。また、ＭＲヘッドでは信号の読み取りにセンス電流が必要であって、そのために回転ヘッドに対して外部回路から電力供給を行っている。従って、回転ヘッドには浮遊電荷が蓄積され、ＭＲヘッドの静電破壊が生じやすい。
【０００５】
この静電破壊に至る過程では、ＭＲ素子がある程度の静電気エネルギーを受けると、まず薄膜の一部が損傷して磁気特性を変化させ、ＭＲヘッドの出力劣化が生じる。その後、ＭＲ素子には静電気エネルギーのストレスが蓄積されつづけ、それにより薄膜全体が破壊し、ＭＲヘッドの出力が全く出ない状態までに至る。
【０００６】
このような静電破壊については、従来から、磁気テープを記録媒体とするヘリカルスキャン方式の磁気記録再生装置では、導電性の軸アース部材を回転ドラムのシャフトと接触させて、回転ドラムを接地することにより、磁気ヘッドの表面電位の上昇を抑制することで、防止するようにしていた（例えば、特許文献１参照）。
【０００７】
なお、回転体の静電気を逃がすための従来の技術として、導電性グリースを備えた転がり軸受けが提案されていた（例えば、特許文献２参照）。
【特許文献１】特開２００３−２２５０７号公報（段落番号〔００２３〕〜〔００３１〕，図２）
【特許文献２】特開２００２−３６４６５３号公報（段落番号〔００１６〕〜〔００１９〕，図１）
【発明の開示】
【発明が解決しようとする課題】
【０００８】
しかし、従来の軸アースは回転ヘッドの回転軸と機械的に接触した状態で回転動作することから、軸アースの接触部が長時間の使用により摩擦で磨り減って、接触状態に変化が発生する。接触状態に変化が生じると、回転軸と接地間での抵抗値が変動するから、回転ドラムの電位が不安定となる。
【０００９】
その結果、従来のヘッドドラム装置では、その使用開始直後では何らの問題がなかった磁気ヘッドも、時間の経過に伴って接触面に錆などが生じ、回転ドラムの表面電位が瞬間的に上昇することから、静電破壊を効果的に防止できないという問題があった。
【００１０】
本発明はこのような課題に鑑みてなされたものであり、ＭＲヘッドの静電破壊の発生をより安定的に防止することが可能なヘッドドラム装置を提供することを目的とする。
また、本発明の他の目的は、ＭＲヘッドを具備する磁気記録再生装置において、ＭＲヘッドの静電破壊の発生をより安定的に防止することである。
【課題を解決するための手段】
【００１１】
本発明では上記課題を解決するために、外周面にヘリカル状に巻き付けられた磁気テープに対して信号の書き込みおよび読み取りを行うヘッドドラム装置において、接地電位に保持された固定ドラムと、一体に固定された導電性シャフトにより前記固定ドラムに対して回動自在に支持された回転ドラムと、前記磁気テープからの信号読み取り用のヘッド素子として磁気抵抗効果型素子を備え、信号読み取り面が前記回転ドラムの外周面で前記磁気テープに摺接するように前記回転ドラムに固定された読み取りヘッド部と、前記回転ドラムが前記固定ドラムを介して接地電位となるように、前記回転ドラムの前記導電性シャフトを前記固定ドラム側で軸承する導電性の軸受け部とを有することを特徴とするヘッドドラム装置が提供される。
【００１２】
このようなヘッドドラム装置では、回転ドラムと固定ドラムとが、導電性シャフトおよび導電性の軸受け部を介して電気的に接続され、また、固定ドラムが接地電位に保持されているため、回転ドラムは、回転した場合にも長時間に渡って接地電位に保持される。従って、ＭＲヘッドの静電破壊の発生をより確実に防止することができる。
【００１３】
また、本発明では、磁気テープを用いて信号の記録および再生を行う磁気記録再生装置において、接地電位に保持された固定ドラムと、一体に固定された導電性シャフトにより前記固定ドラムに対して回動自在に支持された回転ドラムと、前記磁気テープからの信号読み取り用のヘッド素子として磁気抵抗効果型素子を備え、信号読み取り面が前記回転ドラムの外周面で前記磁気テープに摺接するように前記回転ドラムに固定された読み取りヘッド部と、前記回転ドラムが前記固定ドラムを介して接地電位となるように、前記回転ドラムの前記導電性シャフトを前記固定ドラム側で軸承する導電性の軸受け部とを有するヘッドドラム装置を具備することを特徴とする磁気記録再生装置が提供される。
【００１４】
このような磁気記録再生装置では、ヘッドドラム装置において、回転ドラムと固定ドラムとが、導電性シャフトおよび導電性の軸受け部を介して電気的に接続され、また、固定ドラムが接地電位に保持されているため、回転ドラムは、回転した場合にも長時間に渡って接地電位に保持される。従って、ＭＲヘッドの静電破壊の発生をより確実に防止することができる。
【発明の効果】
【００１５】
本発明によれば、ＭＲヘッドが固定される回転ドラムが、従来の軸アースを用いた場合と比較して、より長時間に渡って接地電位に保持されるので、ＭＲヘッドの静電破壊の発生をより安定的に防止することができる。
【発明を実施するための最良の形態】
【００１６】
以下、本発明の実施の形態を、図面を参照して詳細に説明する。図２には、本発明が適用されるヘッドドラム装置を具備する磁気記録再生装置における磁気テープの走行系の概略が示されている。
【００１７】
図２に示す磁気記録再生装置１は、記録媒体として磁気テープ２を用いて信号の記録、および再生を行う装置であり、例えばコンピュータ装置のデータ記憶装置、あるいはビデオ信号やオーディオ信号の記録装置などとして用いられる。この図２に示すように、磁気記録再生装置１は、磁気テープ２に対する信号の書き込みおよび読み取りを行うヘッドドラム装置３と、磁気テープ２を所定の速度で走行させるキャプスタン４およびピンチローラ５と、磁気テープ２の走行を補助する複数のテープガイド（ＴＧ）６ａ、６ｂ、６ｃ、６ｄおよび６ｅによって構成される。また、この磁気記録再生装置１に挿入されたカセットケース７は、低抵抗の合成樹脂材料によって形成されて、磁気テープ２の巻き取りリール７ａおよび供給リール７ｂを具備する。
【００１８】
ヘッドドラム装置３は、全体として平滑な外周面を有する円筒形をなし、後述する図１に示すように、導電性のシャフト１３を有する回転ドラム１０とそれを回動自在に支持する固定ドラム１１とに分割されている。ヘッドドラム装置３の外周面上には、再生用、および記録用の各磁気ヘッドが設けられて、回転ドラム１０の回転に伴って外周面上で各磁気ヘッドが回転するように構成されている。
【００１９】
この磁気記録再生装置１において、磁気テープ２の記録、および再生が行われる際は、カセットケース７が図２中下方から上方に向かって挿入され、ヘッドドラム装置３の近接位置にセットされる。そして、ヘッドドラム装置３の回転ドラムが回転するとともに、ピンチローラ５およびＴＧ６ａ〜６ｅなどが図中上方に移動してローディング動作が行われ、磁気テープ２はヘッドドラム装置３の外周面の一部に巻き付けられる。これとともに、キャプスタン４および巻き取りリール７ａが回転することにより磁気テープ２が走行し、回転ドラム上の磁気ヘッドが磁気テープ２の表面を走査して、信号の書き込みや読み取りが開始される。
【００２０】
図１は、本発明が適用されるヘッドドラム装置を示す縦断面図である。
ヘッドドラム装置３は、全体として平滑な外周面を有する円筒形をなし、同軸上に設けられた上部の回転ドラム１０と下部の固定ドラム１１とを具備している。また、固定ドラム１１の下部には、回転ドラム１０を回転させるためのモータ１２が設けられている。
【００２１】
回転ドラム１０の中心部には、導電性を有する材料から構成されたシャフト１３が一体に固定され、このシャフト１３と固定ドラム１１とは、導電性グリース入りのボールベアリング１４ａからなる導電性の軸受け１４を介して接続されている。また、モータ１２は、固定子１２ａ、および回転子１２ｂを具備し、固定子１２ａは固定ドラム１１に固定されており、また回転子１２ｂはシャフト１３に一体に固定されている。このような構造により、モータ１２の回転子１２ｂの回転に伴って、回転ドラム１０が固定ドラム１１に対して回転するようになっている。
【００２２】
なお、回転ドラム１０、固定ドラム１１、およびシャフト１３は、ともに例えばアルミニウムなどの導電性材料からなり、後述するように、回転ドラム１０は、シャフト１３および軸受け１４を介して、固定ドラム１１と電気的に接続されている。また、固定ドラム１１は、この磁気記録再生装置１のグランドとなっている図示しないシャシーと電気的に接続され、接地電位に保持されている。
【００２３】
また、回転ドラム１０には、読み取り部が外周面に突出するように再生ヘッド部１５が設けられている。この再生ヘッド部１５では、ヘッド素子としてＭＲ素子が用いられている。再生ヘッド部１５は外周部に２つ設けられ、これらは回転ドラム１０の１８０°対向する位置に設けられる。回転ドラム１０にはさらに、ここには図示していない２つの記録ヘッド部が、それぞれ回転ドラム１０上で各再生ヘッド部１５から９０°離れた位置に設けられている。なお、記録ヘッド部や再生ヘッド部１５は、他に例えば外周部に４つずつ設けられてもよい。
【００２４】
さらに、回転ドラム１０の上部には、再生ヘッド部１５のヘッド素子にセンス電流を供給するための電流供給回路１６が設けられている。また、固定ドラム１１の内部にはロータリトランス１７が設けられ、回転ドラム１０上に設けられた記録ヘッド部や再生ヘッド部１５などと、ヘッドドラム装置３の外部に設けた制御回路などとの間で信号のやり取りを行うことが可能とされている。
【００２５】
例えば、磁気テープ２に記録する信号は、ロータリトランス１７を介して記録ヘッド部に供給される。また、再生ヘッド部１５のヘッド素子に対するセンス電流は、外部回路からロータリトランス１７を介して電流供給回路１６に供給され、また、外部回路ではヘッド素子における電圧変化がロータリトランス１７を介して検出されることにより、磁気テープ２の記録信号を読み取ることができる。
【００２６】
つぎに、図３、および図４により再生用ヘッド装置について説明する。図３は、再生用ヘッド装置の構成を示す平面図、図４は、再生用ヘッド装置の構成を示す側面図である。なお、図３は、図１に示すヘッドドラム装置３の下方向より見た再生ヘッド部１５の取り付け部分を含んだ構成として示されており、図４は、図３に示す再生用ヘッド装置１８のテープ走行面を示している。
【００２７】
再生用ヘッド装置１８は、導電性を有するヘッド基板１８ａおよび保護基板１８ｂの間に、ＭＲ素子１８ｃと、軟磁性材料によってなる一対のシールド膜１８ｄおよび１８ｅが配設された構造をなす。ヘッド基板１８ａおよび保護基板１８ｂと、各シールド膜１８ｄおよび１８ｅとの間には、絶縁膜１８ｆおよび１８ｇが形成され、また、シールド膜１８ｄおよび１８ｅの間に、絶縁膜１８ｈおよび１８ｉを介してＭＲ素子１８ｃが形成されて、再生用の磁気ヘッド部をなす。このような再生用ヘッド装置１８は、導線１９ａおよび１９ｂ等により端子２０ａおよび２０ｂと接続され、これにより再生用ヘッド装置１８へ電源の供給がなされる。
【００２８】
さらに、再生用ヘッド装置１８は、図４に示すように、導電性を有するベースメタル２１に接着剤２２によって固着され、このベースメタル２１は回転ドラム１０に、導体によってなる止めネジ２３によって固定されている。なお、図３および図４では、構造をわかりやすく示すためにＭＲ素子１８ｃを大きく示しているが、実際には、ＭＲ素子１８ｃはヘッド基板１８ａや保護基板１８ｂと比較して非常に微細である。
【００２９】
この再生用ヘッド装置１８においては、シールド膜１８ｄおよび１８ｅが一対の磁気シールド部材を構成し、これら一対の磁気シールド部材間のシールドギャップ内にＭＲ素子１８ｃが配設された構造とされていることにより、周波数特性および分解能の向上が図られている。シールド膜１８ｄおよび１８ｅは、例えばパーマロイのメッキ膜からなり、絶縁膜１８ｆ〜１８ｉは、例えばＡｉ2Ｏ3からなり、これらがヘッド基板１８ａ上に薄膜形成され、保護基板１８ｂが接合されることにより、再生用ヘッド装置１８が形成される。また、この再生用ヘッド装置１８においては、回転ドラム１０の外周面より外方（図３中の下方向）を臨む端面が研磨され、この端面が磁気テープ２の摺動面とされている。
【００３０】
また、上述したように、ヘッド基板１８ａおよび保護基板１８ｂは導電性を有する材料により形成される。具体的には、静電気が帯電しない電気抵抗値１０10Ω以下のＡｌ2Ｏ3−ＴｉＣやＭｎＺｎフェライト等が用いられる。また、このヘッド基板１８ａ、および保護基板１８ｂは、エキポシ系等の接着剤２２による接着とは別に、例えば導電性ペースト２４等によりベースメタル２１と電気的に接続される。この導電性ペースト２４としては、例えば銀ペーストが用いられる。また、ベースメタル２１は、例えば真鍮によってなり、導電性を有する金属製の止めネジ２３により回転ドラム１０に固定されるとともに、電気的に接続されている。さらに回転ドラム１０は、導電性を有し、固定ドラム１１と電気的に接続されることで、接地電位とされている。従って、接地電位とされた回転ドラム１０に対して、ベースメタル２１を介して、ヘッド基板１８ａおよび保護基板１８ｂが電気的に接続されている。
【００３１】
ところで、上述したように、磁気テープ２が巻き取られて収納されるカセットケース７は、通常は低抵抗の合成樹脂材料によって形成されている。このようなカセットケース７は、使用者による取り扱いの過程で、例えば人工繊維の梱包材や手袋等で摩擦される、あるいは磁気記録再生装置１へのローディングの際に部品と摩擦される等により、容易に静電気が帯電する。このように静電気が帯電したカセットケース７に収納されている磁気テープ２が再生用ヘッド装置１８に接触した場合、磁気テープ２からＭＲ素子１８ｃを通り、装置のグランドへと通じる電荷の流れが生じ、ＭＲ素子１８ｃの静電破壊が引き起こされてしまう。
【００３２】
このように静電気の放電が発生した場合に、上記構成の再生用ヘッド装置１８では、磁気テープ２からの放電電流が、接地電位とされたヘッド基板１８ａおよび保護基板１８ｂに多く流れるようにされ、これにより、ＭＲ素子１８ｃに流れる電流量が少なくなって、静電破壊が防止されるようになっている。なお、上記実施形態の再生用ヘッド装置１８では、ヘッド基板１８ａと保護基板１８ｂの双方を導電性としているが、このいずれかを導電性すなわち電気抵抗値１０10Ω以下の材料によって形成してもよい。
【００３３】
しかし、こうしたＭＲヘッドの静電破壊を防止するためには、理想的には静電気を全く発生させないことが望ましい。本発明が適用されたヘッドドラム装置３では、磁気記録再生装置１での帯電電位をＭＲ素子１８ｃの静電破壊電圧以下に安定させることにより、作業者や製造工程内の静電気発生を抑制する対策だけでは不十分な点を補っている。すなわち、従来の軸アースの代わりに、導電性を有する軸受け１４によりシャフト１３を軸承することによって、回転ドラム１０を確実に接地電位に保持し、長時間使用した場合でも軸アースのように機械的変化による回転ドラムの電位上昇を引き起こさないようにしている。従って、各部品の帯電防止処理、金属部分のアース接続を必要としないで、ＭＲヘッドの静電破壊を防止することができる。
【００３４】
本実施の形態では、具体的には導電性を有する軸受け１４として、ボール軸受けの潤滑剤（グリース）に導電性粉末（カーボン）を含ませることによって、回転の滑らかさを損なうことなしに、シャフト１３との間での導電性を確保している。ここでは潤滑剤の導電性粉末としてカーボンを使用しているが、本発明はこれに限定されるものではなく、他の金属粉末を使用してグリースに導電性をもたすことも可能である。
【００３５】
次に、導電性を有する軸受け１４を使用した磁気記録再生装置を作製し、従来の軸アースを用いたものと比較して、本発明の効果について説明する。
また比較例としては、軸アースを取り付け、従来の導電性を持たない軸受けによって回転ドラムのシャフトを支持している磁気記録再生装置を用いて、静電破壊防止効果を比較した。実施例、および比較例の磁気記録再生装置には、いずれも２個の再生用ＭＲヘッドを搭載し、６０００ｒｐｍで回転ドラムを連続して回転駆動した後に測定した。また、記憶媒体には、市販のＭＥ（Metal Evaporated）テープを使用し、一定の温湿度環境で記録と再生を繰り返し、１００時間毎に新規のカセットと交換した。
【００３６】
図５は、ＭＲヘッド出力（Ｖｐ−ｐ〔ｍＶ〕）の経時的な変化を示す図である。ここには、回転ドラム組み立て前のＭＲヘッドの出力電圧値と、記録、再生動作を繰り返して５００時間が経過した後、および１０００時間経過した後のヘッド出力電圧値を示す。
【００３７】
実施例のＭＲヘッドでは、５００時間および１０００時間使用した後でヘッド出力に変化は見られない。一方、比較例のＭＲヘッドでは、５００時間後には変化がなかったが、１０００時間使用後にヘッドの出力がほぼ半分まで劣化していることがわかる。
【００３８】
図６は、ＭＲヘッド磨耗量の経時的な変化を示す図である。再生ヘッドの磨耗量は、実施例、比較例ともに、ヘッド摺動面が磁気テープと接触することで生じる磨耗量は等しく、５００時間後、１０００時間後であっても、いずれも同等に磨耗していることを示している。従って、図５に示す比較例でのヘッド出力の劣化が、ヘッド形状の異常な変化によりもたらされたものではないことがわかる。
【００３９】
図７は、回転ドラム回転軸における電位の経時的な変化を示す図である。ここでは、回転軸における電位を、それぞれ５００時間後、１０００時間後における軸と接地間での抵抗値を測定している。
【００４０】
実施例では１０００時間使用後であっても、軸と接地間での抵抗値に変化は生じない。これに対して、比較例では時間の経過とともに、軸アースの効果が低減し、軸と接地間での抵抗値が大幅に上昇していることがわかる。通常、ＭＲヘッドの静電破壊を防止するためには、回転ドラム１０と固定ドラム１１との間の電気抵抗値を１０3Ω以下とすることが好ましく、図７の測定結果により、実施例ではより長時間に渡って確実に静電破壊を防止できることがわかる。
【００４１】
図８は、回転ドラム上の電気回路における表面電位の経時的な変化を示す図である。ここでは、表面電位計などにより、電流供給回路の表面電位を５００時間後、１０００時間後でそれぞれ測定した。
【００４２】
実施例の回転ドラムでは、回路基板上での電位は５００時間後も１０００時間後であっても、ほとんど一定値に安定しているが、比較例では、その時間の経過に比例して電位が上昇している。
【００４３】
また、１０００時間使用した後、実施例のＭＲヘッドの表面部分には損傷は見られなかった。しかし、比較例のＭＲヘッドでは、ＭＲ素子の一部に静電破壊時の熱により溶解した痕が見られた。
【００４４】
以上説明したように、実際の測定結果にもとづく静電破壊防止効果の比較から明らかなように、本発明の磁気記録再生装置では、長時間にわたって回転ドラムの電位上昇を抑制して、ＭＲヘッドの静電破壊が確実に防止できるという顕著な効果を奏する。
【００４５】
従って、本発明を適用したヘッドドラム装置、およびこれを具備する磁気記録再生装置では、ＭＲヘッドの静電破壊をより安定的に防止することができ、例えば、大容量のテープストリーマや高性能ＶＴＲ等の寿命を向上させることができる。また、従来使用していた軸アース部品を廃止し、既存の軸受け部品と機能を統合することで、磁気記録再生装置の小型化を図ることができる。
【００４６】
なお、上記では磁気テープを用いた磁気記録再生装置に本発明のヘッドドラム装置を設けた例について説明したが、本発明は磁気テープの再生のみ行うことが可能な磁気再生装置に適用することも可能である。
【図面の簡単な説明】
【００４７】
【図１】本発明が適用されるヘッドドラム装置を示す縦断面図である。
【図２】本発明が適用されるヘッドドラム装置を用いた磁気記録再生装置の概略構成例を示す図である。
【図３】再生用ヘッド装置の構成を示す平面図である。
【図４】再生用ヘッド装置の構成を示す側面図である。
【図５】本発明における静電破壊防止効果を従来装置と比較して説明するグラフであって、ＭＲヘッド出力の経時的な変化を示す図である。
【図６】同じく、ＭＲヘッド磨耗量の経時的な変化を示す図である。
【図７】同じく、回転ドラム回転軸における電位の経時的な変化を示す図である。
【図８】同じく、回転ドラム上の電気回路における表面電位の経時的な変化を示す図である。
【符号の説明】
【００４８】
１……磁気記録再生装置、２……磁気テープ、３……ヘッドドラム装置、４……キャプスタン、５……ピンチローラ、６ａ〜６ｅ……テープガイド、７……カセットケース、７ａ……巻き取りリール、７ｂ……供給リール、１０……回転ドラム、１１……固定ドラム、１３……シャフト、１４……軸受け、１４ａ……ボールベアリング、１５……再生ヘッド部、１６……電流供給回路、１７……ロータリトランス、１８……再生用ヘッド装置、１８ａ……ヘッド基板、１８ｂ……保護基板、１８ｃ……ＭＲ素子、１８ｄ，１８ｅ……シールド膜、１８ｆ〜１８ｉ……絶縁膜、１９ａ，１９ｂ……導線、２０ａ，２０ｂ……端子、２１……ベースメタル、２２……接着剤、２３……止めネジ、２４……導電性ペースト
【図１】
2005259242.tif 000003
【図２】
2005259242.tif 000004
【図３】
2005259242.tif 000005
【図４】
2005259242.tif 000006
【図５】
2005259242.tif 000007
【図６】
2005259242.tif 000008
【図７】
2005259242.tif 000009
【図８】
2005259242.tif 000010